(57)【要約】【課題】光束利用率の向上及び低コスト化を図りつつ、オーバーヘッドサイン光の有無を変更する。【解決手段】フォグランプ１は、ハロゲンバルブ３と、ハロゲンバルブ３から出射された光を前方へ反射させて、少なくともオーバーヘッドサイン光を除く主配光ＰMを形成するリフレクタ２と、リフレクタ２に着脱可能に構成され、リフレクタ２に装着されたときにハロゲンバルブ３から出射された光を前方へ反射させてオーバーヘッドサイン光を配光する補助反射部材４と、を備える。【選択図】図３
2014032854.tif 000002
【特許請求の範囲】
【請求項１】
光源と、
前記光源から出射された光を前方へ反射させて、少なくともオーバーヘッドサイン光を除く主配光を形成するリフレクタと、
前記リフレクタに着脱可能に構成され、前記リフレクタに装着されたときに前記光源から出射された光を前方へ反射させてオーバーヘッドサイン光を配光する補助反射部材と、
を備えることを特徴とするフォグランプ。
【請求項２】
前記リフレクタは、前方に開口する凹面状に形成されて、前記光源から出射された光を前方へ反射させて前記主配光を形成する反射面を有し、
前記補助反射部材は、前記リフレクタに装着されたときに、前記反射面の下縁部に配置されることを特徴とする請求項１に記載のフォグランプ。
【発明の詳細な説明】
【技術分野】
【０００１】
本発明は、フォグランプに関する。
【背景技術】
【０００２】
車両の前部に搭載されるフォグランプにおいては、水平線よりも上方への僅かな光度のオーバーヘッドサイン光の配光要否が地域毎に異なっている。具体的には、例えば、中国ではオーバーヘッドサイン光の配光が必須とされる一方で、米国や欧州では水平線よりも上方の最高光度のみが規定されてオーバーヘッドサイン光が不要とされている。そのため、オーバーヘッドサイン光が必要な地域向けのフォグランプと不要な地域向けのフォグランプとで配光制御を変える必要が生じるが、これらの各地域向けに全く個別のランプを製造していたのでは大幅なコストアップとなってしまう。
【０００３】
そこで、光学系などの主要部品を換える必要なくオーバーヘッドサイン光の有無を変更することができる種々のフォグランプが提案されている。
例えば、特許文献１，２に記載のフォグランプでは、配光制御を行うリフレクタに、路面を照らす主配光用の反射面とは別に、オーバーヘッドサイン光を配光する補助反射面が形成されるとともに、光源から補助反射面に入射する光を遮光可能な遮光フードが光源の近傍に着脱自在に構成されている。そのため、オーバーヘッドサイン光の配光要否に応じて遮光フードを離脱又は装着させることにより、リフレクタなどの主要部品を共通化させつつオーバーヘッドサイン光の有無を変更することが可能となっている。
【０００４】
また、特許文献３に記載のフォグランプは、上記特許文献１，２に記載のものと同様のリフレクタと、このリフレクタの前面開口にレンズを固定するためのリムとを備えており、当該リムとして、リフレクタの補助反射面で反射された光を遮光する遮光リムと、当該光を遮光しない非遮光リムとを選択的に適用できるように構成されている。そのため、オーバーヘッドサイン光の配光要否に応じて遮光リムと非遮光リムとの何れかを選択して用いることにより、上記特許文献１，２に記載のフォグランプと同様に、リフレクタなどの主要部品を共通化させつつオーバーヘッドサイン光の有無を変更することが可能となっている。
【先行技術文献】
【特許文献】
【０００５】
【特許文献１】特開２０１０−１９８９１３号公報
【特許文献２】特開２０１１−１３４７２８号公報
【特許文献３】特開２０１２−２２７７４号公報
【発明の概要】
【発明が解決しようとする課題】
【０００６】
しかしながら、上記特許文献１，２に記載のフォグランプでは、遮光フードを装着させたときに、光源から補助反射面に入射する光だけを当該遮光フードによって遮光させることが難しく、主配光用の反射面に入射する光の一部も遮光されてしまうため、オーバーヘッドサイン光を配光しないときに光束利用率を低下させてしまう。
【０００７】
また、上記特許文献３に記載のフォグランプでは、遮光リムと非遮光リムとが、リフレクタにレンズを固定するための共通形状部をそれぞれ多く有しつつ、補助反射面からの反射光を遮光する遮光部の有無のみを異ならせているため、製造コストが嵩んでしまう。つまり、遮光リムと非遮光リムとの選択は、補助反射面からの反射光を遮光するか否かという本来的な目的に照らせば、遮光部の有無の変更だけで足りるはずであるところ、遮光に関係しない共通形状部を多く有する２種類のリムを製作することは、材料費などの製造コストを低減する点において改善の余地がある。
【０００８】
本発明は、上記事情を鑑みてなされたもので、従来に比べ、光束利用率の向上及び低コスト化を図りつつ、オーバーヘッドサイン光の有無を変更することができるフォグランプの提供を課題とする。
【課題を解決するための手段】
【０００９】
上記課題を解決するために、本発明は、フォグランプにおいて、
光源と、
前記光源から出射された光を前方へ反射させて、少なくともオーバーヘッドサイン光を除く主配光を形成するリフレクタと、
前記リフレクタに着脱可能に構成され、前記リフレクタに装着されたときに前記光源から出射された光を前方へ反射させてオーバーヘッドサイン光を配光する補助反射部材と、
を備えることを特徴とする。
【発明の効果】
【００１０】
本発明によれば、主配光を形成するリフレクタと、当該リフレクタに着脱可能に構成されて、リフレクタに装着されたときにオーバーヘッドサイン光を配光する補助反射部材と、を備えるので、リフレクタに対する補助反射部材の着脱だけでオーバーヘッドサイン光の有無を変更することができる。これにより、リフレクタに装着された補助反射部材によっては光源からリフレクタの反射面への入射光が遮られないため、光源の近傍に装着した遮光フードによって当該入射光が遮られていた従来に比べ、光束利用率を向上させることができる。
【００１１】
また、補助反射部材は、オーバーヘッドサイン光を配光するための補助反射面を有し、且つリフレクタに着脱可能な簡便な構成で足りるので、リフレクタにレンズを固定するリムに遮光部の有無を異ならせた遮光リムと非遮光リムとを選択的に用いていた従来と異なり、遮光（ひいてはオーバーヘッドサイン光の配光）に関係しない部分を多く有する２種類のリムを製作する必要などなく、低コスト化を図ることができる。
【図面の簡単な説明】
【００１２】
【図１】補助反射部材が装着されていない状態でのフォグランプの要部の斜視図である。
【図２】補助反射部材の斜視図である。
【図３】補助反射部材が装着された状態でのフォグランプの要部の斜視図である。
【図４】（ａ）補助反射部材が装着されていない状態のフォグランプが形成する配光パターンであり、（ｂ）補助反射部材が装着された状態のフォグランプが形成する配光パターンである。
【発明を実施するための形態】
【００１３】
以下、本発明の実施形態について、図面を参照して説明する。
図１は、本実施形態におけるフォグランプ１の要部の斜視図であって、後述する補助反射部材４が装着されていない状態での図であり、図２は、補助反射部材４の斜視図であり、図３は、補助反射部材４が装着された状態でのフォグランプ１の要部の斜視図である。
なお、以下の説明では、「前」「後」「左」「右」「上」「下」との記載は、特に断りのない限り、フォグランプ１から見た方向、つまり当該フォグランプ１が搭載される車両から見た方向を意味するものとする。
【００１４】
図１に示すように、フォグランプ１は、図示しない車両の前部に搭載されるフロントフォグランプ（前部霧灯）であり、リフレクタ２を備えている。
【００１５】
リフレクタ２は、前方へ開口する正面視略円形の凹板状に形成されており、その底部の正面視中央部にはバルブ挿通孔２ａが穿設されている。バルブ挿通孔２ａには、フォグランプ１の光源であるハロゲンバルブ３が後方から挿入され、当該ハロゲンバルブ３のガラス球部分がリフレクタ２の開口内に保持されている。
【００１６】
リフレクタ２の底面は、ハロゲンバルブ３から出射された光を前方へ反射させる反射面２１となっている。この反射面２１は、例えば、ハロゲンバルブ３のフィラメント（図示せず）の近傍位置に焦点を有する回転放物面が基調とされた自由曲面であり、ハロゲンバルブ３のフィラメントから出射された光を前方へ反射させて、後述する主配光ＰMを形成する。
【００１７】
また、リフレクタ２のうち、反射面２１の下縁部には、ねじ孔２２ａを有するボス部２２が設けられている。このボス部２２には、水平線よりも上方へ照射されるオーバーヘッドサイン光を配光するための補助反射部材４が装着されるようになっている。
【００１８】
補助反射部材４は、図２に示すように、その上部前面に補助反射面４１を有している。この補助反射面４１は、補助反射部材４がリフレクタ２に装着された状態において、ハロゲンバルブ３から出射された光を前方へ反射させてオーバーヘッドサイン光を配光する。このオーバーヘッドサイン光は僅かな光量で足りるものであるため、補助反射面４１は、リフレクタ２の反射面２１に比べて遥かに小さな面積のものとなっている。
【００１９】
また、補助反射部材４の下部にはキリ穴４ａが形成されており、当該キリ穴４ａに挿通させた締結ねじ５をボス部２２のねじ孔２２ａに前側から締結させることにより、図３に示すように、補助反射部材４がリフレクタ２のボス部２２に装着される。したがって、補助反射部材４は、締結ねじ５を締めたり緩めたりすることにより、リフレクタ２に対し着脱可能となっている。補助反射部材４の下部は、キリ穴４ａを有しつつ、締結ねじ５による締結に堪えるものであればよいため、その上部の補助反射面４１と大差なくコンパクトに構成されている。したがって、補助反射部材４全体としても、リフレクタ２に比べて十分に小さなものとなっている。
【００２０】
以上の構成を具備するフォグランプ１では、補助反射部材４がリフレクタ２に装着されていない図１の状態においては、ハロゲンバルブ３から出射された光がリフレクタ２の反射面２１によって前方へ反射されることにより、図４（ａ）に示すように、水平線Ｈよりも下方のみを照らす主配光ＰMが前方に形成される。
【００２１】
一方、補助反射部材４がリフレクタ２に装着された図３の状態においては、ハロゲンバルブ３から出射された光は、リフレクタ２の反射面２１によって前方へ反射されるとともに、補助反射部材４の補助反射面４１によっても前方へ反射される。そして、図４（ｂ）に示すように、リフレクタ２の反射面２１からの反射光によって主配光ＰMが形成されるとともに、補助反射部材４の補助反射面４１からの反射光によって、水平線Ｈよりも上方への僅かな光度のオーバーヘッドサイン光が配光されて、当該オーバーヘッドサイン光によるオーバーヘッド配光ＰOHが形成される。
【００２２】
以上のように、本実施形態のフォグランプ１によれば、主配光ＰMを形成するリフレクタ２と、当該リフレクタ２に着脱可能に構成されて、リフレクタ２に装着されたときにオーバーヘッドサイン光を配光する補助反射部材４と、を備えるので、リフレクタ２に対する補助反射部材４の着脱だけでオーバーヘッドサイン光の有無を変更することができる。これにより、リフレクタ２に装着された補助反射部材４によってはハロゲンバルブ３からリフレクタ２の反射面２１への入射光が遮られないため、光源の近傍に装着した遮光フードによって当該入射光が遮られていた従来に比べ、光束利用率を向上させることができる。
【００２３】
また、補助反射部材４は、オーバーヘッドサイン光を配光するための補助反射面４１を有し、且つリフレクタ２に着脱可能な簡便な構成で足りるので、リフレクタにレンズを固定するリムに遮光部の有無を異ならせた遮光リムと非遮光リムとを選択的に用いていた従来と異なり、遮光（ひいてはオーバーヘッドサイン光の配光）に関係しない部分を多く有する２種類のリムを製作する必要などなく、低コスト化を図ることができる。
【００２４】
なお、本発明を適用可能な実施形態は、上述した実施形態に限定されることなく、本発明の趣旨を逸脱しない範囲で適宜変更可能である。
【００２５】
例えば、上記実施形態では、補助反射部材４がリフレクタ２の反射面２１の下縁部に装着されることとしたが、補助反射部材４の装着位置はこれに限定されるものではない。但し、補助反射部材４（補助反射面４１）の装着位置は、リフレクタ２のうち、反射面２１前端から前方へ延出する立壁の近く、つまり反射面２１の縁部が好ましく、また、水平線よりも上方へのオーバーヘッドサイン光を配光する点から、ハロゲンバルブ３よりも下側が好ましい。
【００２６】
また、フォグランプ１の光源はハロゲンバルブ３でなくともよく、発光ダイオードなどの他種の光源であってもよい。
【符号の説明】
【００２７】
１        フォグランプ
２        リフレクタ
２１    反射面
２２    ボス部
２２ａ  ねじ孔
３        ハロゲンバルブ（光源）
４        補助反射部材
４１    補助反射面
４ａ    キリ穴
５        締結ねじ
ＰM       主配光
ＰOH      オーバーヘッド配光
【図１】
2014032854.tif 000003
【図２】
2014032854.tif 000004
【図３】
2014032854.tif 000005
【図４】
2014032854.tif 000006